(57)【要約】【課題】実施アイテムの流れを巨視的に把握するのに適したデータ表示方法、工程管理システム、および、これらに関するプログラム、記録媒体を提供すること。【解決手段】工程管理システム１は、実施アイテムの実施時間に対応する時間軸と、前記実施アイテムの実施順序に対応する順序軸と、を有する座標系を設定する座標系設定部と、前記座標系に、前記実施アイテムに対応する前記時間軸の座標範囲を占めると共に、当該実施アイテムに対応する前記順序軸の座標位置に配置される時間帯オブジェクトを設定するオブジェクト制御部と、を備える。【選択図】図２
2008234391.tif 000002
【特許請求の範囲】
【請求項１】
工程単位の実施アイテムに係る時系列データを表示手段に表示させるデータ表示方法であって、
（ａ）前記実施アイテムの実施時間に対応する時間軸と、前記実施アイテムの実施順序に対応する順序軸と、を有する座標系を設定する第１ステップと、
（ｂ）前記座標系に、前記実施アイテムに対応する前記時間軸の座標範囲を占めると共に、当該実施アイテムに対応する前記順序軸の座標位置に配置される時間帯オブジェクトを設定する第２ステップと、
を有する、データ表示方法。
【請求項２】
請求項１に記載のデータ表示方法であって、
前記第２ステップにおいて、対応する前記実施アイテムごとに異なる視覚属性を有する前記時間帯オブジェクトを設定する、データ表示方法。
【請求項３】
請求項１または２に記載のデータ表示方法であって、
前記第２ステップにおいて、連続する順序に係る前記時間帯オブジェクト同士が接するように、前記時間帯オブジェクトを設定する、データ表示方法。
【請求項４】
工程単位の実施アイテムに係る時系列データを表示する工程管理システムであって、
（ａ）前記実施アイテムの実施時間に対応する時間軸と、前記実施アイテムの実施順序に対応する順序軸と、を有する座標系を設定する座標系設定部と、
（ｂ）前記座標系に、前記実施アイテムに対応する前記時間軸の座標範囲を占めると共に、当該実施アイテムに対応する前記順序軸の座標位置に配置される時間帯オブジェクトを設定するオブジェクト制御部と、
を備える、工程管理システム。
【請求項５】
請求項４に記載の工程管理システムであって、
前記オブジェクト制御部が、対応する前記実施アイテムごとに異なる視覚属性を有する前記時間帯オブジェクトを設定する、工程管理システム。
【請求項６】
請求項４または５に記載の工程管理システムであって、
前記オブジェクト制御部が、連続する実施時間に係る前記時間帯オブジェクト同士が接するように、前記時間帯オブジェクトを設定する、工程管理システム。
【請求項７】
工程単位の実施アイテムに係る時系列データを表示手段に表示させるための動作をコンピュータに実行させるプログラムであって、
（ａ）前記実施アイテムの実施時間に対応する時間軸と、前記実施アイテムの実施順序に対応する順序軸と、を有する座標系を設定する第１ステップと、
（ｂ）前記座標系に、前記実施アイテムに対応する前記時間軸の座標範囲を占めると共に、当該実施アイテムに対応する前記順序軸の座標位置に配置される時間帯オブジェクトを設定する第２ステップと、
を実行させるプログラム。
【請求項８】
請求項７に記載のプログラムであって、
前記第２ステップにおいて、対応する前記実施アイテムごとに異なる視覚属性を有する前記時間帯オブジェクトを設定する、プログラム。
【請求項９】
請求項７に記載のプログラムであって、
前記第２ステップにおいて、連続する実施時間に係る前記時間帯オブジェクト同士が接するように、前記時間帯オブジェクトを設定する、プログラム。
【請求項１０】
請求項７ないし９のいずれか一項に記載のプログラムを格納する記録媒体。
【発明の詳細な説明】
【技術分野】
【０００１】
本発明は、時系列データのデータ表示方法、および工程管理システムに関するものである。
【背景技術】
【０００２】
設備装置等（工程単位）の実施アイテムの計画や履歴を視覚化する方法として、ガントチャートとよばれるチャート図が広く用いられている（例えば、特許文献１）。
【０００３】
【特許文献１】特開２０００−７１１５０号公報
【発明の開示】
【発明が解決しようとする課題】
【０００４】
特許文献１に係る方法では、実施アイテムの実施時間に応じた長さのブロックを時間軸に沿って並列させて表示するようにしている。しかしながら、このような表示方法では、多数の実施アイテムが短期間に集中した場合や短時間の実施に係る実施アイテムが存在する場合に、実施アイテムの切り替わりを明確に認識することが困難となる。このため、実施アイテムの流れを巨視的に把握するのに適しているとは言い難かった。
【０００５】
本発明は、上述の課題を解決するためになされたもので、実施アイテムの流れを巨視的に把握するのに適したデータ表示方法、工程管理システム、および、これらに関するプログラム、記録媒体を提供することを目的としている。
【課題を解決するための手段】
【０００６】
本発明は、工程単位の実施アイテムに係る時系列データを表示手段に表示させるデータ表示方法であって、前記実施アイテムの実施時間に対応する時間軸と、前記実施アイテムの実施順序に対応する順序軸と、を有する座標系を設定する第１ステップと、前記座標系に、前記実施アイテムに対応する前記時間軸の座標範囲を占めると共に、当該実施アイテムに対応する前記順序軸の座標位置に配置される時間帯オブジェクトを設定する第２ステップと、を有する。
【０００７】
この発明の例によれば、各実施アイテムに係る時間帯オブジェクトが、対応する実施順序に従い、順序軸方向に座標位置をずらして表示されるため、実施アイテムの切り替わりを明確に認識することができ、また、順序軸に沿って実施アイテムの流れを容易に把握することができる。
【０００８】
また好ましくは、前記第２ステップにおいて、対応する前記実施アイテムごとに異なる視覚属性を有する前記時間帯オブジェクトを設定する。
この発明の例によれば、時間帯オブジェクトと実施アイテムとの対応関係の把握を感覚的に行うことができるので、実施アイテムの流れを容易に把握することができる。
【０００９】
また好ましくは、前記第２ステップにおいて、連続する順序に係る前記時間帯オブジェクト同士が接するように、前記時間帯オブジェクトを設定する。
この発明の例によれば、実施アイテムの連続性を視覚的に認識することができるので、実施アイテムの流れを容易に把握することができる。
【００１０】
本発明は、工程単位の実施アイテムに係る時系列データを表示する工程管理システムであって、前記実施アイテムの実施時間に対応する時間軸と、前記実施アイテムの実施順序に対応する順序軸と、を有する座標系を設定する座標系設定部と、前記座標系に、前記実施アイテムに対応する前記時間軸の座標範囲を占めると共に、当該実施アイテムに対応する前記順序軸の座標位置に配置される時間帯オブジェクトを設定するオブジェクト制御部と、を備える。
【００１１】
この発明の例によれば、各実施アイテムに係る時間帯オブジェクトが、対応する実施順序に従い、順序軸方向に座標位置をずらして表示されるため、実施アイテムの切り替わりを明確に認識することができ、また、順序軸に沿って実施アイテムの流れを容易に把握することができる。
【００１２】
また好ましくは、前記オブジェクト制御部が、対応する前記実施アイテムごとに異なる視覚属性を有する前記時間帯オブジェクトを設定する。
この発明の例によれば、時間帯オブジェクトと実施アイテムとの対応関係の把握を感覚的に行うことができるので、実施アイテムの流れを容易に把握することができる。
【００１３】
また好ましくは、前記オブジェクト制御部が、連続する実施時間に係る前記時間帯オブジェクト同士が接するように、前記時間帯オブジェクトを設定する。
この発明の例によれば、実施アイテムの連続性を視覚的に認識することができるので、実施アイテムの流れを容易に把握することができる。
【００１４】
本発明は、工程単位の実施アイテムに係る時系列データを表示手段に表示させるための動作をコンピュータに実行させるプログラムであって、前記実施アイテムの実施時間に対応する時間軸と、前記実施アイテムの実施順序に対応する順序軸と、を有する座標系を設定する第１ステップと、前記座標系に、前記実施アイテムに対応する前記時間軸の座標範囲を占めると共に、当該実施アイテムに対応する前記順序軸の座標位置に配置される時間帯オブジェクトを設定する第２ステップと、を実行させる。
【００１５】
この発明の例によれば、各実施アイテムに係る時間帯オブジェクトが、対応する実施順序に従い、順序軸方向に座標位置をずらして表示されるため、実施アイテムの切り替わりを明確に認識することができ、また、順序軸に沿って実施アイテムの流れを容易に把握することができる。
【００１６】
また好ましくは、前記第２ステップにおいて、対応する前記実施アイテムごとに異なる視覚属性を有する前記時間帯オブジェクトを設定する。
この発明の例によれば、時間帯オブジェクトと実施アイテムとの対応関係の把握を感覚的に行うことができるので、実施アイテムの流れを容易に把握することができる。
【００１７】
また好ましくは、前記第２ステップにおいて、連続する実施時間に係る前記時間帯オブジェクト同士が接するように、前記時間帯オブジェクトを設定する。
この発明の例によれば、実施アイテムの連続性を視覚的に認識することができるので、実施アイテムの流れを容易に把握することができる。
【００１８】
本発明の記録媒体は、前記プログラムを格納する。
【発明を実施するための最良の形態】
【００１９】
以下、本発明の好適な実施の形態を添付図面に基づいて詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２０】
（工程管理システムの構成について）
まずは、図１〜図２を参照して、本発明に係る工程管理システムの構成について説明する。
図１は、工程管理システムを実現するハードウェア構成の一例を示す図である。図２は、工程管理システムの機能ブロック図である。
【００２１】
図１、図２に示す工程管理システム１は、工程単位の実施アイテムを管理するためのシステムである。
【００２２】
ここで、工程単位とは、あらゆる作業工程（例えば、工業製品の生産工程）の構成要素となる単位のことである。生産工程であれば、個々の設備装置や、被生産物の単位（以下、ロットとする）に所定の処理を施す処理工程、あるいは複数の処理工程を大分類としてまとめたものを、それぞれ工程単位として扱うことができる。
【００２３】
また、実施アイテムとは、工程単位が実施する事項のことであり、工程単位が主体となって実施する動作はもちろんのこと、工程単位の状態や工程単位に対して行われる作業なども含まれるとした概念である。
【００２４】
尚、本実施形態の工程管理システム１は、設備装置の動作や状態を示す履歴データ（時系列データ）を管理し、その表示を行うためのシステムを想定したものである。
【００２５】
工程管理システム１は、管理端末２と、工程端末３と、中央サーバ４と、を備えており、これらがネットワーク回線５を介して接続された構成となっている。工程端末３は、設備装置に並設されており、個々の設備装置の実施アイテムに係る履歴データの入力をタイムリーに行うことができる。また、管理端末２は、複数の工程端末３で入力された履歴データを集約して、これを一元的に管理、表示することができる。
【００２６】
管理端末２および工程端末３には、汎用のパーソナルコンピュータが用いられており、内部バスにより互いに接続されたＣＰＵ１０１、ＲＯＭ１０２、ＲＡＭ１０３、ハードディスク装置１０４と、キーボードやマウス等の入力装置１０５と、ＣＲＴ／ＬＣＤディスプレイやプロジェクタ等の表示装置１０６（表示手段）とを備えている。
【００２７】
ＣＰＵ１０１は、ハードディスク装置１０４に格納されたアプリケーションプログラム（本発明に係るプログラムに相当する）を読み出し、ＲＡＭ１０３やハードディスク装置１０４をワーキングメモリとして当該アプリケーションプログラムを実行する。これにより、図１に示す工程管理システム１のハードウェア構成は、図２において機能ブロック図で示す工程管理システム１として機能することになる。
【００２８】
尚、所定のアプリケーションプログラムは、例えばＣＤ−ＲＯＭ、ＤＶＤディスク、光磁気ディスクなどの記録媒体によって外部から供給されるようになっていてもよい。また、ネットワーク回線５を介して、アプリケーションプログラムがダウンロードされるようになっていてもよい。
【００２９】
図２において、工程管理システム１は、設備装置の履歴データを格納する工程データベース１０と、履歴データを入力するための入力部１１と、画像表示を行う表示部１２（表示手段）と、履歴データを表示部１２上に画像化して表示するための処理を行う表示処理部１３と、を備えている。
【００３０】
履歴データは、実施アイテムの種類を特定する情報（項目名や識別ＩＤなど）と、その実施アイテムの実施時間を示す情報（開始時刻や終了時刻等で構成される）が含まれた時系列データとして構成されている。履歴データの入力は、作業者が入力装置１０５（図１参照）を用いて定期的に行うのが一般的であるが、設備装置からその一部または全部の情報が自動入力されるようになっていてもよい。
【００３１】
表示処理部１３は、座標系設定部１４と、オブジェクト制御部１５と、メモリ領域１６と、グラフィック部１７と、を備えている。これらの各部は、上述した所定のアプリケーションプログラムの他、汎用のオペレーションシステム、汎用のグラフ作成アプリケーションプログラム、Ｗｅｂ閲覧のためのブラウザアプリケーションプログラム等を利用して構成することができる。各部の詳細な機能については、後述する。
【００３２】
尚、工程管理システム１を実現するハードウェア構成は、図１に示すようなネットワークシステムに限られるものではなく、スタンドアローン形式のハードウェア構成とすることも可能である。
【００３３】
（履歴データの表示方法について）
次に、図２、図３、図４、図５を参照して、履歴データの表示方法について説明する。
図３は、履歴データの表示処理のフローを示すフローチャートである。図４は、座標系の表示状態を示す図である。図５は、本実施形態の効果を説明するための比較例である。
【００３４】
最初の処理では、座標系設定部１４が、メモリ領域１６内の仮想空間内に、実施アイテムの実施時間に対応する時間軸と、実施アイテムの実施順序に対応する順序軸とを有する座標系２０を設定する（図３の第１ステップとしてのステップＳ１）。座標系２０の表示状態を示す図４では、横軸が時間軸に、縦軸が順序軸にそれぞれ対応している。尚、順序軸方向の座標は、段階的な値を持つ量子化座標であり、図４の下側ほど順序が後になるように設定されている。
【００３５】
次に、オブジェクト制御部１５は、座標系２０に、各実施アイテムについての時間帯オブジェクト２１を設定する（図３の第２ステップとしてのステップＳ２）。時間帯オブジェクト２１は、座標系２０において時間軸の一定の座標範囲を占める形態のオブジェクトであり、本実施形態では、帯状の形態を有している。
【００３６】
時間帯オブジェクト２１は、対応する実施アイテムの実施時間に相当する時間軸の座標範囲を占めるように設定される。また、時間帯オブジェクト２１の配置における順序軸の座標として、対応する実施アイテムの実施順序に相当する座標が設定される。これにより、図４において、長時間実施された実施アイテムに係る時間帯オブジェクト２１ほど横長に表され、後に実施された実施アイテムに係る時間帯オブジェクト２１ほど相対的に右下の位置に表されることになる。
【００３７】
また、時間帯オブジェクト２１には、対応する実施アイテムの項目（種別）ごとに、異なる視覚属性が設定される。ここで、視覚属性とは、画像化される際の形状、色彩、模様などの視覚的形態を特定した属性のことである。これにより、図４において、同じ実施アイテムに係る時間帯オブジェクト２１は同じ模様で、異なる実施アイテムに係る時間帯オブジェクト２１は互いに異なる模様で表されることになり、時間帯オブジェクトと実施アイテムとの対応関係の把握を感覚的に行うことができるようになる。
【００３８】
また、時間帯オブジェクト２１は、連続する実施時間に係る時間帯オブジェクト２１同士が接するように設定される。尚、本実施形態では、時間帯オブジェクト２１における幅（順序軸方向の長さ）を順序軸の座標値の間隔に一致させることで、このような設定を実現している。
【００３９】
全ての実施アイテムについて時間帯オブジェクト２１が設定されたら、次に、グラフィック部１７は、時間帯オブジェクト２１の設定がなされた座標系２０の画像化（レンダリング）を行う（図３のステップＳ３）。これにより、図４に示す画像が、表示部１２上に表示される。
【００４０】
尚、本実施形態では、時間軸および順序軸の目盛りや、時間軸の座標値を示す時間ラベル２２、実施アイテムの項目を示す項目ラベル２３が、時間帯オブジェクト２１と共に表示されるようになっているが、これらは、省略したり、表示方法を変更したりすることも可能である。
【００４１】
また、座標系２０が広範囲にわたる場合は、座標系２０の全体を一度に画像化すると内容の把握が困難となるので、画像化をある所定の範囲について行うこととし、オペレータの操作によって、画像化の範囲をスクロールさせるようにすることが好ましい。
【００４２】
ここで、比較例（図５）を参照して、本実施形態の表示処理の効果について説明する。尚、図５の比較例は、図４に係る実施形態と同じ履歴データに基づいた表示例である。
【００４３】
図５の比較例では、各実施アイテムに係る時間帯オブジェクトを時間軸方向に並べて表示させるため、特に、短期間に多くの実施アイテムが集中する序盤の期間（２／２０の０時から３時にかけての期間）において、実施アイテムの切り替わりを明確に認識することが困難である。このため、実施アイテムがどのように実行されたかという履歴を巨視的に把握しにくいという問題がある。
【００４４】
これに対し、本実施形態の表示処理部１３に係る表示処理によれば、各実施アイテムに係る時間帯オブジェクト２１が、対応する実施順序に従い、順序軸方向に座標位置をずらして表示されるため、実施アイテムの切り替わりを明確に認識することができ、これにより、順序軸に沿って実施アイテムの流れを容易に把握することができる。
【００４５】
また、この際、連続する実施時間に係る時間帯オブジェクト２１同士が、互いに境界（角部分）を接するように表示されるため、実施アイテムの連続性を感覚的に認識することができ、着目する実施アイテムの前後にどのような実施アイテムが実施されたかということを、容易に認識することができる。
【００４６】
かくして、本実施形態の工程管理システム１を用いれば、設備装置の履歴管理を容易に行うことができるため、オペレータに過度の負荷をかけることなく、品質維持や生産効率の向上のための活動に役立てることができる。
【００４７】
（変形例１）
次に、図６を参照して、本発明の変形例１について、先の実施形態との相違点を中心に説明する。
図６は、変形例１に係る座標系の表示状態を示す図である。
【００４８】
この変形例１では、最初の本処理に対応する時間帯オブジェクト２１が、本処理の対象となる各ロット（Ｘ−１，Ｘ−２，Ｙ−１，Ｙ−２，Ｙ−３）ごとに分割して設定された時間帯オブジェクト２１ａ〜２１ｅで構成されている。このように、本発明に係る時間帯オブジェクトは、複数の時間帯オブジェクトで構成することが可能である。
【００４９】
（変形例２）
次に、図７を参照して、本発明の変形例２について、先の実施形態との相違点を中心に説明する。
図７は、変形例２に係る座標系の表示状態を示す図である。
【００５０】
この変形例２では、時間帯オブジェクト２１が線状のオブジェクトとされ、また、視覚属性は、対応する実施アイテムによらず共通とされている。さらに、実施アイテムの項目ラベル２３を対応する時間帯オブジェクトに近接した状態で表示することにより、時間帯オブジェクト２１と対応する実施アイテムとの関係をより認識しやすくしている。このように、本発明に係る時間帯オブジェクトの形態やラベルの表示態様は、様々なものとすることが可能である。
【００５１】
本発明は上述の実施形態に限定されない。
また、実施形態の各構成はこれらを適宜組み合わせたり、省略したり、図示しない他の構成と組み合わせたりすることができる。
【図面の簡単な説明】
【００５２】
【図１】工程管理システムを実現するハードウェア構成の一例を示す図。
【図２】工程管理システムの機能ブロック図。
【図３】履歴データの表示処理のフローを示すフローチャート。
【図４】座標系の表示状態を示す図。
【図５】本実施形態の効果を説明するための比較例。
【図６】変形例１に係る座標系の表示状態を示す図。
【図７】変形例２に係る座標系の表示状態を示す図。
【符号の説明】
【００５３】
１…工程管理システム、２…管理端末、３…工程端末、４…中央サーバ、５…ネットワーク回線、１０…工程データベース、１１…入力部、１２…表示手段としての表示部、１３…表示処理部、１４…座標系設定部、１５…オブジェクト制御部、１６…メモリ領域、１７…グラフィック部、２０…座標系、２１…時間帯オブジェクト、２２…時間ラベル、２３…項目ラベル、１０６…表示手段としての表示装置。
【図１】
2008234391.tif 000003
【図２】
2008234391.tif 000004
【図３】
2008234391.tif 000005
【図４】
2008234391.tif 000006
【図５】
2008234391.tif 000007
【図６】
2008234391.tif 000008
【図７】
2008234391.tif 000009